(57)【要約】【課題】 移動通信装置から無線基地局への送信信号のフレーム数に応じて、当該移動通信装置で自律的にトレーニングシーケンスを生成することができるように構成することにより、信号伝送効率を高め、設備コストも抑えることができる無線通信システムを提供する。【解決手段】 アダプティブアレーアンテナを備えた無線基地局２と携帯移動端末３とで無線通信システムを構成する。携帯移動端末３は、無線基地局２への送信信号のフレーム数に応じて、シーケンス長の長い又は短いトレーニングシーケンスを生成する。無線基地局２は、携帯移動端末３からの信号に含まれるトレーニングシーケンスに基づき、アダプティブアレーアンテナで受信した信号を重み付け合成するための重み係数の制御を行う。【選択図】図２
2006325059.tif 000002
【特許請求の範囲】
【請求項１】
移動通信装置と、この移動通信装置との間で無線通信回線を介して接続される、複数のアンテナ素子を備えたアダプティブアレー無線基地局と、で構成された無線通信システムであって、
前記移動通信装置は、送信信号のフレーム数に応じてシーケンス長を変えた第１のトレーニングシーケンスを生成するトレーニングシーケンス生成手段、を備え、
前記アダプティブアレー無線基地局は、前記アンテナ素子で受信された前記移動通信装置からの受信信号から第２のトレーニングシーケンスを検出するトレーニングシーケンス検出手段と、
前記トレーニングシーケンス検出手段で検出された前記第２のトレーニングシーケンスに基づいて、前記第１のトレーニングシーケンスを推定するトレーニングシーケンス推定手段と、
前記推定された第１のトレーニングシーケンスと前記第２のトレーニングシーケンスとの前記アンテナ素子に対応する誤差を計算し、前記誤差が最小になるように適応制御して重み係数を算出する重み係数算出手段と、を備えていることを特徴とする無線通信システム。
【請求項２】
前記移動通信装置は、送信信号のフレーム数をカウントするフレームカウント手段と、前記フレームカウント手段でカウントされたフレーム数が閾値よりも大きい場合にはシーケンス長が短い第１のトレーニングシーケンスを生成し、前記閾値よりも小さい場合にはシーケンス長が長い第１トレーニングシーケンスを生成するトレーニングシーケンス生成手段と、を備えていることを特徴とする請求項１に記載の無線通信システム。
【請求項３】
前記移動通信装置は、前記フレームカウント手段でカウントされたフレーム数を所定時間経過後にゼロにする制御手段を備えている、ことを特徴とする請求項２に記載の無線通信システム。
【請求項４】
複数のアンテナ素子を備えたアダプティブアレー無線基地局との間で無線通信回線を介して接続される移動通信装置であって、
送信信号のフレーム数に応じてシーケンス長を変えたオリジナルのトレーニングシーケンスを生成するトレーニングシーケンス生成手段、を備えることを特徴とする移動通信装置。
【請求項５】
移動通信装置との間で無線通信回線を介して接続される、複数のアンテナ素子を備えたアダプティブアレー無線基地局であって、
前記アダプティブアレー無線基地局は、前記アンテナ素子で受信された前記移動通信装置からの受信信号からトレーニングシーケンスを検出するトレーニングシーケンス検出手段と、
前記トレーニングシーケンス検出手段で検出されたトレーニングシーケンスに基づいて、前記移動通信装置で生成されるオリジナルのトレーニングシーケンスのレプリカを推定するトレーニングシーケンス推定手段と、
前記推定されたレプリカのトレーニングシーケンスと前記受信信号から検出されたトレーニングシーケンスとの前記アンテナ素子に対応する誤差を計算し、前記誤差が最小になるように適応制御して重み係数を算出する重み係数算出手段と、を備えていることを特徴とするアダプティブアレー無線基地局。
【請求項６】
移動通信装置と、複数のアンテナ素子を備えたアダプティブアレー無線基地局との間で行われる無線通信方法であって、
前記移動通信装置における、送信信号のフレーム数に応じてシーケンス長を変えた第１のトレーニングシーケンスを生成するステップを含み、
前記アダプティブアレー無線基地局における、前記アンテナ素子で受信された前記移動通信装置からの受信信号から第２のトレーニングシーケンスを検出するステップと、前記検出された第２のトレーニングシーケンスに基づいて、前記第１のトレーニングシーケンスを推定するステップと、前記推定された第１のトレーニングシーケンスと前記第２のトレーニングシーケンスとの前記アンテナ素子に対応する誤差を計算し、前記誤差が最小になるように適応制御して重み係数を算出するステップと、を含むことを特徴とする無線通信方法。
【請求項７】
前記移動通信装置においては、送信信号のフレーム数をカウントするステップと、カウントされたフレーム数が閾値よりも大きい場合にはシーケンス長が短い第１のトレーニングシーケンスを生成し、前記閾値よりも小さい場合にはシーケンス長が長い第１のトレーニングシーケンスを生成するステップと、を含むことを特徴とする請求項６に記載の無線通信方法。
【請求項８】
前記移動通信装置においては、カウントされたフレーム数を所定時間経過後にゼロにするステップを含む、ことを特徴とする請求項７に記載の無線通信方法。
【発明の詳細な説明】
【技術分野】
【０００１】
本発明は、無線通信システム、移動通信装置、アダプティブアレー無線基地局及び無線通信方法に関する。
【背景技術】
【０００２】
従来、移動通信装置と、この移動通信装置との間で無線通信回線を介して接続される、複数のアンテナ素子を備えたアダプティブアレー無線基地局と、で構成された無線通信システムでは、例えば、フレーム同期のためのユニークワード（以下、ＵＷと示す。なお、ＵＷは、トレーニングシーケンスと同じ意味をもつ）を用いた信号を、移動通信装置からアダプティブアレー無線基地局へ送信している。そして、このような無線通信システムでは、通信品質を維持するために、アダプティブアレー無線基地局において、移動通信装置からの信号伝搬状況に基づいて、予め最適なＵＷパターンを算出し、算出したＵＷパターンを移動通信装置に通知するとともに、移動通信装置は、このＵＷパターンに基づいたＵＷを使ってアダプティブアレー無線基地局と通信する、といった方法が考えられている（特許文献１参照）。
【特許文献１】特開２００２−２７１８４６号公報
【発明の開示】
【発明が解決しようとする課題】
【０００３】
ところで、特許文献１に記載されたような無線通信システムでは、アダプティブアレー無線基地局から移動通信装置へ、予めＵＷパターンを通知しなければならないので、このような通知を行うと、信号伝送効率が損なわれてしまう。また、信号伝搬状況が良くても、アンテナがまだ収束していない可能性があり、この場合は、シーケンス長が長いＵＷが必要であるにも拘わらず、誤ってシーケンス長が短いＵＷを生成してしまう。このため、アンテナの収束特性が悪くなるおそれがある。さらに、アダプティブアレー無線基地局には、移動通信装置へＵＷパターンを通知するための通知手段が必要になるため、設備コストが高くなってしまう。
【０００４】
そこで、本発明は、移動通信装置から送信される信号のフレーム数に応じて、該移動通信装置で自律的にＵＷのシーケンス長を調整するとともに、アダプティブアレー無線基地局において、移動通信装置からの信号に含まれるＵＷに基づいて、アンテナの収束制御を行うことができるように構成することによって、信号伝送効率を高め、設備コストも抑えることができる無線通信システムを提供することを目的としている。
【０００５】
また、本発明は、当該無線通信システムで行われる無線通信方法を提供することを目的としている。
【課題を解決するための手段】
【０００６】
上記課題を達成するための本発明の無線通信システムは、移動通信装置（例えば、携帯移動端末）と、この移動通信装置との間で無線通信回線を介して接続される、複数のアンテナ素子を備えたアダプティブアレー無線基地局と、で構成された無線通信システムであって、前記移動通信装置は、送信信号のフレーム数に応じてシーケンス長を変えた第１のトレーニングシーケンス（オリジナルのトレーニングシーケンス。以下、同じ）を生成するトレーニングシーケンス生成手段、を備え、前記アダプティブアレー無線基地局は、前記アンテナ素子で受信された前記移動通信装置からの受信信号から第２のトレーニングシーケンス（受信過程で損失等されたトレーニングシーケンス。以下、同じ）を検出するトレーニングシーケンス検出手段と、前記トレーニングシーケンス検出手段で検出された前記第２のトレーニングシーケンスに基づいて、前記第１のトレーニングシーケンス（レプリカのトレーニングシーケンス。以下、同じ）を推定するトレーニングシーケンス推定手段と、前記推定された第１のトレーニングシーケンスと前記第２のトレーニングシーケンスとの前記アンテナ素子に対応する誤差を計算し、前記誤差が最小になるように適応制御して重み係数を算出する重み係数算出手段（例えば、最小二乗誤差法を用いるもの）と、を備えていることを特徴とするものである。
【０００７】
また、本発明の無線通信システムは、前記移動通信装置が、送信信号のフレーム数をカウントするフレームカウント手段と、前記フレームカウント手段でカウントされたフレーム数が閾値よりも大きい場合にはシーケンス長が短いトレーニングシーケンスを生成し、前記閾値よりも小さい場合にはシーケンス長が長いトレーニングシーケンスを生成するトレーニングシーケンス生成手段と、を備えていることを特徴とするものである。
【０００８】
また、本発明の無線通信システムは、前記移動通信装置が、前記フレームカウント手段でカウントされたフレーム数を所定時間経過後にゼロにする制御手段を備えている、ことを特徴とするものである。
【０００９】
また、本発明の移動通信装置は、複数のアンテナ素子を備えたアダプティブアレー無線基地局との間で無線通信回線を介して接続される移動通信装置であって、送信信号のフレーム数に応じてシーケンス長を変えたオリジナルのトレーニングシーケンスを生成するトレーニングシーケンス生成手段、を備えることを特徴とするものである。
【００１０】
また、本発明のアダプティブアレー無線基地局は、移動通信装置との間で無線通信回線を介して接続される、複数のアンテナ素子を備えたアダプティブアレー無線基地局であって、前記アダプティブアレー無線基地局は、前記アンテナ素子で受信された前記移動通信装置からの受信信号からトレーニングシーケンスを検出するトレーニングシーケンス検出手段と、前記トレーニングシーケンス検出手段で検出されたトレーニングシーケンスに基づいて、前記移動通信装置で生成されるオリジナルのトレーニングシーケンスのレプリカを推定するトレーニングシーケンス推定手段と、前記推定されたレプリカのトレーニングシーケンスと前記受信信号から検出されたトレーニングシーケンスとの前記アンテナ素子に対応する誤差を計算し、前記誤差が最小になるように適応制御して重み係数を算出する重み係数算出手段と、を備えていることを特徴とするものである。
【００１１】
また、本発明の無線通信方法は、移動通信装置と、複数のアンテナ素子を備えたアダプティブアレー無線基地局との間で行われる無線通信方法であって、前記移動通信装置における、送信信号のフレーム数に応じてシーケンス長を変えた第１のトレーニングシーケンスを生成するステップを含み、前記アダプティブアレー無線基地局における、前記アンテナ素子で受信された前記移動通信装置からの受信信号から第２のトレーニングシーケンスを検出するステップと、前記検出された第２のトレーニングシーケンスに基づいて、前記第１のトレーニングシーケンスを推定するステップと、前記推定された第１のトレーニングシーケンスと前記第２のトレーニングシーケンスとの前記アンテナ素子に対応する誤差を計算し、前記誤差が最小になるように適応制御して重み係数を算出するステップと、を含むことを特徴とするものである。
【００１２】
また、本発明の無線通信方法は、前記移動通信装置においては、送信信号のフレーム数をカウントするステップと、カウントされたフレーム数が閾値よりも大きい場合にはシーケンス長が短い第１のトレーニングシーケンスを生成し、前記閾値よりも小さい場合にはシーケンス長が長い第１のトレーニングシーケンスを生成するステップと、を含むことを特徴とするものである。
【００１３】
本発明における、トレーニングシーケンスの生成方法としては、予め所定のシーケンス長で設定された複数のトレーニングシーケンス（シーケンス長が長いトレーニングシーケンスと、シーケンス長が短いトレーニングシーケンス）を、移動通信装置の記憶部に記憶保持しておき、アダプティブアレー無線基地局への送信信号のフレーム数に応じて、当該記憶部から、対応するシーケンス長のトレーニングシーケンスを抽出する、といった方法や、演算手段を用いて、前記無線基地局への送信信号のフレーム数に応じて、所定のシーケンス長を有するようにトレーニングシーケンスを算出する、といった方法をとる。
【００１４】
移動通信装置は、アダプティブアレー無線基地局への送信信号のフレーム数に応じて、自律的に、トレーニングシーケンスのシーケンス長を調整することができるので、トレーニングシーケンスの生成にあたり、従来のようなアダプティブアレー無線基地局からのトレーニングシーケンスに関する情報の通知は必要ない。したがって、従来に比べて信号伝送効率を高めることができる。
【００１５】
また、本発明によれば、例えば、シーケンス長が長いトレーニングシーケンスと、シーケンス長が短いトレーニングシーケンスとを用いるが、この場合、シーケンス長が長いトレーニングシーケンスを用いて移動通信装置からアダプティブアレー無線基地局へ信号を送信したときには、アダプティブアレー無線基地局におけるアンテナの収束が確実に行われることになる。これに対し、シーケンス長が短いトレーニングシーケンスを用いた場合には、より多くのデータを移動通信装置からアダプティブアレー無線基地局へ送信することができる。
【発明の効果】
【００１６】
以上のように構成された本発明の無線通信システム及び無線通信方法によれば、移動通信装置とアダプティブアレー無線基地局との信号伝送効率を向上させることができるとともに、設備コストの低減を図ることができる。また、アダプティブアレー無線基地局のアンテナの収束特性を損なわずに、移動通信装置からアダプティブアレー無線基地局へデータを送信することができる。
【発明を実施するための最良の形態】
【００１７】
以下、本発明を実施するための最良の形態を図面を用いて詳細に説明する。
【００１８】
図１は、本発明の無線通信システムにおける移動通信装置３の構成を示した概略ブロック図である。
【００１９】
アダプティブアレーアンテナ１が備えられた無線基地局２を介して、音声、文字、画像等のデータを送受信する携帯移動端末（移動通信装置）３には、アンテナ４と、このアンテナ４に接続されたｄｏｗｎ／ｕｐコンバータ５と、トレーニングシーケンス生成部（トレーニングシーケンス生成手段）６と、トレーニングシーケンス生成部６に制御信号を出力する制御部７と、トレーニングシーケンス生成部６で生成されたオリジナルのトレーニングシーケンス（第１のトレーニングシーケンス）と音声、文字、画像等の送信用データの信号とを組み立てて送信信号を生成するトレーニングシーケンス組立部８と、が備えられている（図１参照）。
【００２０】
トレーニングシーケンス生成部６は、無線基地局２のアダプティブアレーアンテナ１のアレー重み係数制御に用いるオリジナルのトレーニングシーケンスを生成するもので、このトレーニングシーケンス生成部６では、無線基地局２への送信信号のフレーム数に応じて、シーケンス長が長いトレーニングシーケンス（例えば、１６シンボル〜６４シンボルで構成されたトレーニングシーケンス）や、シーケンス長が短いトレーニングシーケンス（例えば、４シンボル〜８シンボルで構成されたトレーニングシーケンス）が生成される。
【００２１】
ところで、トレーニングシーケンス生成部６でのオリジナルのトレーニングシーケンスの生成は、例えば、予めシーケンス長が長いトレーニングシーケンスとシーケンス長が短いトレーニングシーケンスとをメモリ等の記憶手段（図示せず）に記憶保持しておき、適宜いずれか一のトレーニングシーケンスを抽出することによって行う。なお、無線基地局２で正確にトレーニングシーケンスを検出するために、本実施の形態では、異なるシーケンス長のトレーニングシーケンスが直交する関係であることが前提となる。
【００２２】
制御部７には、送信信号のフレーム数をカウントするためのカウント部（フレームカウント手段）９と、このカウント部９でカウントされたフレーム数と比較するための閾値（所定のフレーム数）が予め設定されている比較部１０と、が備えられている。
【００２３】
トレーニングシーケンス組立部８では、オリジナルのトレーニングシーケンスと音声、文字、画像等のデータとがフレーム毎に組み立てられて送信信号が形成され、ｄｏｗｎ／ｕｐコンバータ５を経由して、高周波数に変調された後、アンテナ４から無線基地局２へ送信されることとなる。
【００２４】
図２は、制御部７の制御フローチャートである。なお、フローチャートの（Ｓ１）から（Ｓ１６）は、制御の各ステップ処理を示す。
【００２５】
本発明の無線通信システムにおける携帯移動端末３では、以下のような制御が行われる。まず、携帯移動端末３から無線基地局２への通信要求、あるいは、無線基地局２からの通信要求があった場合（Ｓ１：通信要求）、携帯移動端末３と無線基地局２との間でリンク（接続）が確立される（Ｓ２：リンクの確立）。
【００２６】
リンクが確立された後は、携帯移動端末３から無線基地局２へ音声、文字、画像等のデータを含む信号が送信されることになるが、この場合、携帯移動端末３では、以下のような制御が行われる。
【００２７】
（１）音声、文字、画像等のデータを含む送信信号のフレーム数が、カウント部９でカウントされる（Ｓ３：ｆｃは、ｆｒａｍｅ  ｃｏｕｎｔｅｒの略で、これは、フレーム数と同義である。）。なお、リンクの確立後、最初の信号を送信するにあたっては、送信信号のフレーム数は０であるとカウントされる。
【００２８】
（２）比較部１０において、カウント部９でカウントされた送信信号のフレーム数と、予め設定された閾値１と、が比較される（Ｓ４）。閾値１は、例えば、利用するアダプティブアレーアンテナの収束速度や、システムの要求する性能によって決定されている。
【００２９】
（３）比較の結果、カウント部９でカウントされた送信信号のフレーム数が、閾値１よりも大きい場合には、トレーニングシーケンス生成部６で、シーケンス長が短いオリジナルのトレーニングシーケンスが生成され（Ｓ５）、フレーム数が閾値１よりも小さい場合には、同様にトレーニングシーケンス生成部６で、シーケンス長が長いオリジナルのトレーニングシーケンスが生成される（Ｓ６）。
【００３０】
なお、無線基地局２のアダプティブアレーアンテナが収束している場合には、フレーム数が多い送信信号を無線基地局２へ送信することができる。したがって、このような場合には、オリジナルのトレーニングシーケンスを短くすることによって、より多くのデータを送信することが可能となる。これに対し、無線基地局２のアダプティブアレーアンテナが収束していない場合には、少ないフレーム数の送信信号が無線基地局２へ送信されることになる。したがって、このような場合には、オリジナルのトレーニングシーケンスを長くすることによって、無線基地局２のアダプティブアレーアンテナを確実に収束させることができる。
【００３１】
次に、ステップ５あるいはステップ６により生成されたオリジナルのトレーニングシーケンスと、無線基地局２へ送信するデータとを、トレーニングシーケンス組立部８で組み立てる（Ｓ７）。組み立てられた信号は順次、ｄｏｗｎ／ｕｐコンバータ５を経由して、アンテナ４から無線基地局２へ送信されることになる（Ｓ８：１フレーム送信）。
【００３２】
基地局との接続を切断する場合には、リンク切断のステップを経ることになるが（Ｓ１０）、未送信データがある場合には（Ｓ９）、ステップ３以降の処理が繰り返される。
【００３３】
ステップ１０において、例えば、携帯移動端末３からの切断要求があると、携帯移動端末３と無線基地局２との間のリンクが切断されることになる（Ｓ１１）。また、ステップ１０において、リンクの切断が行われない場合には、携帯移動端末３の制御部７に予め備えられたタイマー１１が起動するとともに（Ｓ１２）、タイマー１１の起動中において、送信信号の有無が制御部７で判断される（Ｓ１３）。
【００３４】
そして、ステップ１３において、特に送信信号がないと判断され、さらに、例えば、携帯移動端末３からの切断要求があった場合には（Ｓ１４）、携帯移動端末３と無線基地局２との間のリンクが切断される（Ｓ１１）。
【００３５】
また、ステップ１３において、送信信号が有ると判断された場合には、制御部７で、タイマー１１の起動時間の値と、予め設定された閾値２（例えば、５０ｍｓを示す値）とが比較される（Ｓ１５）。そして比較の結果、前記タイマー１１の起動時間の値が閾値２よりも大きい場合には、カウント部９で先にカウントされて記録されているフレーム数がクリアされ（Ｓ１６）、その後、ステップ３以降の処理が繰り返される。これに対し、前記タイマー１１の起動時間の値が閾値２よりも小さい場合には、ステップ３以降の処理が繰り返される。このようにして、一定時間経過後にカウント部９に記録されているフレーム数をクリアにすることにより、時間の経過とともに変化する送信環境に適応的に対応することができる。
【００３６】
図３は、本発明の無線通信システムにおける無線基地局２の受信系モジュールの構成を示した概略ブロック図である。
【００３７】
無線基地局２には、アダプティブアレーアンテナを構成する複数のアンテナ素子１２と、このアンテナ素子１２に接続されたｄｏｗｎコンバータ１３と、バッファー部１４と、重み制御部１５と、重み付け合成部１６と、トレーニングシーケンス検出部１７（トレーニングシーケンス検出手段）と、参照信号制御部１８（トレーニングシーケンス推定手段）と、減算部１９と、が備えられている。
【００３８】
複数のアンテナ素子１２でそれぞれ受信された携帯移動端末３からの信号は、ｄｏｗｎコンバータ１３によってベースバンドに変更（Ｘ１〜Ｘｎ）され、バッファー部１４を経て、重み付け合成部１６へ出力される。重み付け合成部１６は、ｄｏｗｎコンバータ１３からの各信号Ｘ１〜Ｘｎに、重み制御部１５からのアレー重み係数（Ｗ１〜Ｗｎ）をそれぞれ乗じて重み付け合成する（図４参照）。重み付け合成部１６で重み付け合成された信号Ｓは、アレー出力信号として出力されるとともに、減算部１９に入力される。
【００３９】
図５は、トレーニングシーケンス検出部１７の構成を示した概略ブロック図である。
【００４０】
トレーニングシーケンス検出部１７は、ｄｏｗｎコンバータ１３から出力された一のアンテナ素子１２からの受信信号αが入力されるように構成されていて（図３参照）、当該受信信号αに含まれるトレーニングシーケンス（第２のトレーニングシーケンス）を検出する。なお、受信信号αに含まれるトレーニングシーケンスは、携帯移動端末３から送信された信号に含まれるオリジナルのトレーニングシーケンスが、受信の過程で劣化（損失等）したものである。このトレーニングシーケンス検出部１７は、受信信号αが各々入力される第１の相関器２０及び第２の相関器２１と、第１の相関器２０及び第２の相関器２１からの各信号が入力される比較器２２と、が備えられている。
【００４１】
第１の相関器２０には、シーケンス長が長い相関計算用のトレーニングシーケンス、第２の相関器２１には、シーケンス長が短い相関計算用のトレーニングシーケンスがそれぞれ記憶保持されていて、各相関器２０、２１でそれぞれ、相関計算用のトレーニングシーケンスと受信信号αとの相関が計算される。そして、第１の相関器２０で、相関のピーク値Ａが算出されるとともに、第２の相関器２１で、相関のピーク値Ｂが算出されると、各算出結果の信号が比較器２２へ出力される。
【００４２】
比較器２２では、第１の相関器２０における相関のピーク値Ａと第２の相関器２１における相関のピーク値Ｂとが比較され、ピーク値Ａ＞ピーク値Ｂの場合には、受信信号αに含まれているトレーニングシーケンスが長いシーケンス長であると判断されるとともに、ピーク値Ａ＜ピーク値Ｂの場合には、受信信号αに含まれているトレーニングシーケンスが短いシーケンス長であると判断される。そして、このような判断によって得られた、トレーニングシーケンス情報（シーケンス長が長いトレーニングシーケンスか、シーケンス長が短いトレーニングシーケンスかの情報）は、比較器２２から参照信号制御部１８へ出力される（図３参照）。 
参照信号制御部１８では、トレーニングシーケンス検出部１７からのトレーニングシーケンス情報に基づいて、携帯移動端末３のトレーニングシーケンス生成部６で生成されるトレーニングシーケンス（第１のトレーニングシーケンス）のレプリカとなるトレーニングシーケンス（第１のトレーニングシーケンス：後述するアレー重み係数を制御する際の参照信号として用いるもの）が推定（算出）される。
【００４３】
レプリカとなるトレーニングシーケンスの推定は、携帯移動端末３のトレーニングシーケンス生成部６と同様に行う。すなわち、予めシーケンス長が長いトレーニングシーケンス（第１のトレーニングシーケンス）とシーケンス長が短いトレーニングシーケンス（第１のトレーニングシーケンス）とをメモリ等の記憶手段（図示せず）に予め記憶保持しておき、トレーニングシーケンス検出部１７からのトレーニングシーケンス情報に基づいて、適宜いずれか一のトレーニングシーケンスを抽出することによって行う。
【００４４】
より具体的には、トレーニングシーケンス検出部１７において、受信信号αに含まれるトレーニングシーケンスが、シーケンス長が長いトレーニングシーケンスであると判断されて、このトレーニングシーケンスに関する情報が参照信号制御部１８に入力された場合には、シーケンス長が長いトレーニングシーケンスが抽出（算出）される。また、トレーニングシーケンス検出部１７において、受信信号αに含まれるトレーニングシーケンスが、シーケンス長が短いトレーニングシーケンスであると判断され、このトレーニングシーケンスに関する情報が参照信号制御部１８に入力された場合には、シーケンス長が短いトレーニングシーケンスが抽出（算出）される。参照信号制御部１８で推定されたトレーニングシーケンスは、参照信号として減算部１９へ出力される（図３参照）。
【００４５】
減算部１９では、参照信号制御部１８で推定されたトレーニングシーケンス（参照信号）と重み付け合成部１６で重み付け合成された合成信号Ｓに含まれているトレーニングシーケンスとの差（以下、誤差ｅという）が算出され、この計算結果が重み制御部１５へ出力される。
【００４６】
重み制御部１５では、誤差ｅの二乗が最小になるように、複数のアンテナ素子１２からの各信号（Ｘ１〜Ｘｎ）に対する各重み係数（Ｗ１〜Ｗｎ）の制御が行われる。なお、重み制御部１５にて重み係数を制御するためのアルゴリズムとしては、例えば、ＬＭＳ（Ｌｅａｓｔ  Ｍｅａｎ  Ｓｑｕａｒｅ）やＲＬＳ（Ｒｅｃｕｒｓｉｖｅ  Ｌｅａｓｔ  Ｓｑｕａｒｅ）等が用いられる。
【００４７】
重み制御部１５で制御された各重み係数（ｗ１〜ｗｎ）（図示せず）は、重み付け合成部１６へ出力され、制御された各重み係数（ｗ１〜ｗｎ）に基づいて、複数のアンテナ素子１２からの各信号（Ｘ１〜Ｘｎ）について重み付けが行われる。
【００４８】
このように構成された無線基地局２は、携帯移動端末３で生成されるオリジナルのトレーニングシーケンスに対応する、参照信号（レプリカのトレーニングシーケンス）を適宜推定することができる。したがって、携帯移動端末３が移動する場合等、通信環境の変化に適応的に対応することができる。
【００４９】
なお、本実施の形態の無線通信システムでは、送信信号のフレーム数に応じて、シーケンス長が長いトレーニングシーケンスとシーケンス長が短いトレーニングシーケンスとの二つのシーケンスを生成するように携帯移動端末３を構成するとともに、二つのシーケンスに基づいて、無線基地局２で重み係数の適応制御を行うようにしているが、本発明はこれに限らず、二以上の異なるシーケンス長のトレーニングシーケンスを用いるようにしてもよい。このように構成した場合には、通信環境により柔軟に対応することが可能となる。
【図面の簡単な説明】
【００５０】
【図１】本発明の無線通信システムにおける移動通信装置の構成を示した概略ブロック図である。
【図２】本発明の無線通信システムにおける移動通信装置での制御について示したフローチャートである。
【図３】本発明の無線通信システムにおける無線基地局の受信系モジュールの構成を示した概略ブロック図である。
【図４】重み付け合成部で信号の重み付け合成を行う場合の概略説明図である。
【図５】トレーニングシーケンス検出部の構成を示した概略ブロック図である。
【符号の説明】
【００５１】
１：アダプティブアレーアンテナ、
２：無線基地局、
３：携帯移動端末（移動無線装置）、
６：トレーニングシーケンス生成部（トレーニングシーケンス生成手段）、
９：カウント部（フレームカウント手段）、
１０：比較部（比較手段）、
１２：アンテナ素子、
１５：重み制御部（重み係数算出手段）、
１７：トレーニングシーケンス検出部（トレーニングシーケンス検出手段）
１８：参照信号制御部（トレーニングシーケンス推定手段）。
【図１】
2006325059.tif 000003
【図２】
2006325059.tif 000004
【図３】
2006325059.tif 000005
【図４】
2006325059.tif 000006
【図５】
2006325059.tif 000007